(57)【要約】【課題】照明器具を電力線から取り外した後、再度取り付けた際に取り外し前と同じ点灯状態で点灯させることができる照明システムを提供する。【解決手段】コントローラ１０は、照明器具２０ａ…に個別に設定された調光レベル或いは調色情報などの点灯状態に関わる個別照明負荷情報と組み合わせることで照明負荷２１の所望の点灯状態を指示するシステム状態情報を電力線通信部１１から電力線Ｌ１に電力線搬送通信方式で送出させる。照明器具２０ａ…は、個別照明負荷情報と電力線通信部２４が受信したコントローラ１０からのシステム状態情報とを記憶する記憶部２３を備え、制御部２５が、記憶部２３に記憶された個別照明負荷情報とコントローラ１０からのシステム状態情報とを組み合わせて得た点灯状態で照明負荷２１が点灯するように点灯回路部２２の出力を制御する。【選択図】図１
2005063803.tif 000002
【特許請求の範囲】
【請求項１】
照明負荷、該照明負荷を点灯させる点灯回路部、該点灯回路部の出力を制御することによって照明負荷の点灯状態を制御する制御部、及び電力線に供給される商用電源に高周波電流を重畳させることによって信号を送受信する第１の電力線通信部を具備した１乃至複数台の照明器具と、電力線に供給される商用電源に高周波電流を重畳させることによって信号を送受信する第２の電力線通信部を具備したコントローラとで構成され、
コントローラは、照明器具に個別に設定された調光レベル或いは調色情報などの点灯状態に関わる個別照明負荷情報と組み合わせることで照明負荷の所望の点灯状態を指示するシステム状態情報を第２の電力線通信部から電力線に送出させており、前記照明器具に、前記個別照明負荷情報と第１の電力線通信部が受信したシステム状態情報とを記憶する記憶部を設け、照明器具の制御部が、記憶部に記憶された個別照明負荷情報とシステム状態情報とを組み合わせて得た点灯状態で照明負荷が点灯するように点灯回路部の出力を制御することを特徴とする照明システム。
【請求項２】
コントローラは電源投入後所定時間が経過するまでの間に第２の電力線搬送通信部からシステム状態情報を送出させており、照明器具の制御部は、電源投入後上記所定時間が経過するまでの間に第１の電力線通信部がコントローラからのシステム状態情報を受信しなければ、最新のシステム状態情報をコントローラに要求する要求信号を第１の電力線通信部から電力線を送出させることを特徴とする請求項１記載の照明システム。
【請求項３】
少なくとも１台の照明器具が、上記電力線を介して給電される配線ダクトに接続するための手段を備えて成ることを特徴とする請求項１又は２記載の照明システム。
【請求項４】
配線ダクトに接続する手段を具備した照明器具に、配線ダクトから取り外されたことを検知する検知手段を設け、配線ダクトから取り外されたことを検知手段が検知すると、制御部が記憶部に記憶された個別照明負荷情報の内容をリセットすることを特徴とする請求項３記載の照明システム。
【請求項５】
照明器具の個別照明負荷情報をワイヤレス信号で送信するリモコン設定器と、
該リモコン設定器からワイヤレス信号で送信された個別照明負荷情報を受信するリモコン受信部、及び、電力線に供給される商用電源に高周波電流を重畳させることによって信号を送受信する第３の電力線通信部を具備し、リモコン受信部が個別照明負荷情報を受信すると、受信した個別照明負荷情報を第３の電力線通信部から電力線を介して設定対象の照明器具へ送信するリモコン受信器とを備え、
リモコン受信器に、配線ダクトに接続するための手段を設けて成ることを特徴とする請求項３記載の照明システム。
【請求項６】
配線ダクトに対して当該配線ダクトと電力線との間で商用電源に重畳される高周波電流を選択的に遮断するフィルタ端末を取り付け、当該フィルタ端末に、配線ダクトに接続される照明器具の識別情報を持たせ、コントローラから送信されたシステム状態情報の内、送信先の識別情報が配線ダクトに接続される照明器具の識別情報と一致しないシステム状態情報を遮断することを特徴とする請求項３記載の照明システム。
【発明の詳細な説明】
【技術分野】
【０００１】
本発明は、電力線に接続された照明器具に電力線を介して制御信号を送出し、この制御信号で照明器具の動作を制御する照明システムに関するものである。
【背景技術】
【０００２】
従来より、例えば美術館・博物館の展示物や店舗の商品を照明するために、天井面に配設された所謂配線ダクトに調光機能を有する複数台の照明器具と人検知センサ端末とを取り付けて、人検知センサ端末の検知情報に応じて照明器具の点滅制御や調光制御を行う照明システムが提供されている（例えば特許文献１参照）。
【０００３】
この照明システムでは、照明器具や人検知センサ端末に専用の制御信号線を接続すると、配線ダクトに対して照明器具や人検知センサ端末を容易に着脱できなくなるため、制御信号の伝送方式として電力線に供給される商用電源に高周波信号を重畳する電力線搬送通信方式を用いている。この電力線搬送通信方式は、最近ではスペクトラム拡散技術を採用するなどして、電力線に接続された他の機器が発生するノイズに対する伝送性能を向上しており、白物家電・住宅設備用ネットワークを対象にしたエコーネットコンソーシアム等で採用されている。
【０００４】
また電力線搬送通信方式を用いた照明システムとしては、配線ダクト用に限らなければ例えば特許文献２に示されるような照明システムもある。このシステムでは、電力線に接続された照明器具に対して個別のチャンネルデータを割り当ててあり、電力線に接続されたコントローラが、スイッチ操作やセンサ或いはタイマの出力に応じて、制御対象の照明器具に割り当てたチャンネルデータを含む電力線搬送信号を電力線に送出し、この電力線搬送信号を受け取った照明器具の点滅制御や調光制御を行っていた。
【０００５】
また更に、同一の専用バスラインに少なくとも１台の明るさセンサと複数台の照明器具とを接続し、専用バスラインを介してシリアル信号を伝送し、照明器具の点灯状態を制御する照明システムも従来より提供されている。このシステムは、近年ヨーロッパを中心に研究・開発が進められているＤＡＬＩ（Digital Addressable Lighting Interface）システム（ＩＥＣ６０９２９で規定）と呼ばれるもので、このシステムでは複数台の照明器具をまとめてオン／オフするために各々の照明器具にグループアドレスを割り当てており、レイアウト変更などでグループの割り当てを変更する際には個々の照明器具のグループアドレスを変更することでレイアウト変更に対応していた。
【０００６】
図１６はＤＡＬＩシステムのシステム構成図であり、このシステムは信号用バスラインＬ３に接続されたコントローラ１００と、信号用バスラインＬ３を介してコントローラ１００に接続された複数台の照明器具１１０ａ…と、信号用バスラインＬ３に電力を供給するバス電源装置１２０と、で構成される。
【０００７】
また図１７は本システムのブロック図であり、コントローラ１００は、スイッチなどで構成され各種の設定を行う操作部１０１と、設定内容を記憶するＥＥＰＲＯＭなどの記憶部１０２と、制御対象のグループアドレスを示すアドレスデータおよび調光レベルを示す制御データからなる制御信号を信号用バスラインＬ３に送出する信号送信部１０３と、各部を制御する制御部１０４とで構成される。また照明器具１１０ａ…は、信号用バスラインＬ３を介して伝送された制御信号を受信する信号受信部１１１と、蛍光灯のような照明負荷１１２と、照明負荷１１２に電力を供給して照明負荷１１２を点灯させる点灯回路部１１３と、ＥＥＰＲＯＭなどで構成され自己のグループアドレスなどの設定データを記憶する記憶部１１４と、信号受信部１１１の受信した制御信号に含まれるグループアドレスが記憶部１１４に記憶された自己のグループアドレスに一致すると制御信号に含まれる制御データに従って点灯回路部１１３の出力を制御する制御部１１５とで構成される。
【０００８】
このＤＡＬＩシステムでは、コントローラ１００から、制御対象の照明器具１１０ａ…が属するグループアドレスを指定して、直接調光レベルを送信するか、或いは予め設定した変化分だけ調光レベルを上昇又は低下させるためのアップ／ダウンコマンドを送信することによって所望のグループに属する照明器具１１０ａ…を制御するようになっている。またこのシステムでは、予めシーン番号とそれに対応する調光レベルを各々の照明器具１１０ａ…の記憶部１１４に設定しており、コントローラ１００の操作部１０１の操作に応じて、制御対象の照明器具１１０ａ…が属するグループのアドレスデータとシーン番号を示す制御データとを含む制御信号がコントローラ１００から送出されると、制御信号のグループアドレスに属した照明器具１１０ａ…が、記憶部１１４に設定されたシーン番号とそれに対応する調光レベルとをもとに、照明負荷１１２を所望の調光レベルで調光点灯するようになっている。ここで、シーンとは「昼休み」などの人間の生活シーンを示し、各シーン毎に同じエリア（例えば同じ部屋）に設置された複数台の照明器具を、器具毎に設定した調光レベルで点灯させることができるように、各々の照明器具１１０ａ…の記憶部１１４には個々のシーンを示すシーン番号とその時の調光レベルとが設定されている。尚、表１は個々のシーン毎の照明器具１１０ａ…毎の調光レベルの組み合わせの一例である。
【０００９】
【表１】
2005063803.tif 000003
【特許文献１】特開昭５７−１７６６９１号公報
【特許文献２】特開昭５７−５２３３１号公報
【発明の開示】
【発明が解決しようとする課題】
【００１０】
上述した図１６の照明システムでは、複数台の照明器具１１０ａ…を各シーン毎に予め設定した調光レベルで点灯させることが可能であるが、電力線Ｌ１とは別に信号用バスラインＬ３を接続する必要がある。そこで、図１６の照明システムにおいて、特許文献１の照明システムで用いられる電力線搬送通信方式を利用し、電力線Ｌ１を介して制御信号を伝送することで照明器具１１０ａ…の点灯状態を制御するシステムが考えられる。すなわち、このシステムでは各々の照明器具１１０ａ…にシーン番号と調光レベルの対応関係を予め記憶させておき、個々のシーンを選択するための操作スイッチの操作や２４時間タイマを用いて設定されたスケジュールに従って、コントローラ１００からシーン番号を示す制御データを含んだ制御信号を商用電源に重畳して送出させ、この制御信号を受信した照明器具１１０ａ…が制御データの示すシーン番号に対応した調光レベルで照明負荷を点灯させている。また、特許文献２の照明システムのように複数台の照明器具を１つのグループとして制御するグループ制御の考え方を組み合わせれば、複数エリアの照明器具のシーン制御を１台のコントローラで行うことができる。
【００１１】
しかしながら、電力線搬送通信方式を利用した照明システムでは、各々の照明器具１１０ａ…は専用の信号線を介してコントローラ１００に接続されておらず、壁コンセントや天井面に設置された配線ダクトを介して電力線Ｌ１に着脱自在に接続されているので、照明器具１１０ａ…の設置位置の変更時やカラーフィルターの取付時に、システムとしては電源が入っていても照明器具１１０ａ…の電源が個別に切断される場合がある。例えばグループ１に属する照明器具１〜４をシーン番号１の調光レベルで調光制御している場合に、照明器具１の設置位置を変更するために、照明器具１を配線ダクト或いは壁コンセントから外して、照明器具１への電力供給を一時的に切断した後、この照明器具１を再び配線ダクト或いは壁コンセントに接続して、電源供給を再開させた際に、照明器具１がこの時のシーン情報を持っていなければ、照明器具１はデフォルトの調光レベル（一般的には１００％の調光レベル）で点灯することになる。すなわち、照明器具１を電力線Ｌ１から取り外す前と、電力線Ｌ１に再度取り付けた後とで照明器具１の点灯状態が異なってしまい、取り外し前の点灯状態が再現できないという問題があった。
【００１２】
本発明は上記問題点に鑑みて為されたものであり、その目的とするところは、照明器具を電力線から取り外した後に、再度取り付けた際に取り外し前と同じ点灯状態で点灯させることができる照明システムを提供することにある。
【課題を解決するための手段】
【００１３】
上記目的を達成するために、請求項１の発明は、照明負荷、該照明負荷を点灯させる点灯回路部、該点灯回路部の出力を制御することによって照明負荷の点灯状態を制御する制御部、及び電力線に供給される商用電源に高周波電流を重畳させることによって信号を送受信する第１の電力線通信部を具備した１乃至複数台の照明器具と、電力線に供給される商用電源に高周波電流を重畳させることによって信号を送受信する第２の電力線通信部を具備したコントローラとで構成される照明システムにおいて、コントローラは、照明器具に個別に設定された調光レベル或いは調色情報などの点灯状態に関わる個別照明負荷情報と組み合わせることで照明負荷の所望の点灯状態を指示するシステム状態情報を第２の電力線通信部から電力線に送出させており、前記照明器具に、上記個別照明負荷情報と第１の電力線通信部が受信したコントローラからのシステム状態情報とを記憶する記憶部を設け、照明器具の制御部が、記憶部に記憶された個別照明負荷情報とコントローラからのシステム状態情報とを組み合わせて得た点灯状態で照明負荷が点灯するように点灯回路部の出力を制御することを特徴とする。
【００１４】
この発明によれば、照明器具では、コントローラから送信されたシステム状態情報を記憶部に記憶させており、記憶部に記憶された個別照明負荷情報とシステム状態情報とを組み合わせて得た点灯状態で照明負荷が点灯するように、制御部が点灯回路部の出力を制御しているので、取付位置の変更や調整などのために電力線から一時的に取り外された後に再度電力線に接続された場合にも、個別照明負荷情報とシステム状態情報が記憶部に記憶されているから、照明負荷を取り外し前と同じ点灯状態で点灯させることができる。
【００１５】
請求項２の発明は、請求項１の発明において、コントローラは電源投入後所定時間が経過するまでの間に第２の電力線搬送通信部からシステム状態情報を送出させており、照明器具の制御部は、電源投入後上記所定時間が経過するまでの間に第１の電力線通信部がコントローラからのシステム状態情報を受信しなければ、最新のシステム状態情報をコントローラに要求する要求信号を第１の電力線通信部から電力線を送出させることを特徴とする。
【００１６】
この発明によれば、電源投入後所定時間が経過してから照明器具が電力線に接続された場合、この照明器具は、電力線に接続した後に所定時間が経過してもコントローラからのシステム状態情報を受信することはできないが、所定時間が経過した時点で最新のシステム状態情報をコントローラに要求する要求信号を送出しているので、最新のシステム状態情報を取得し、このシステム状態情報に応じた点灯状態で照明負荷を点灯させることができる。
【００１７】
請求項３の発明は、請求項１又は２の発明において、少なくとも１台の照明器具が、上記電力線を介して給電される配線ダクトに接続するための手段を備えて成ることを特徴とし、照明器具を配線ダクトに接続して使用することができる。
【００１８】
請求項４の発明は、請求項３の発明において、配線ダクトに接続する手段を具備した照明器具に、配線ダクトから取り外されたことを検知する検知手段を設け、配線ダクトから取り外されたことを検知手段が検知すると、制御部が記憶部に記憶された個別照明負荷情報の内容をリセットすることを特徴とする。
【００１９】
この発明によれば、配線ダクトから外された場合には照明器具の設置位置が変更されると想定されるので、記憶部に記憶された個別照明負荷情報の内容をリセットしているが、電源の遮断時は記憶部に記憶された個別照明負荷情報の内容が保持されているので、電源を再投入した際に個別照明負荷情報を再度設定する必要が無く、使い勝手が向上するという利点がある。
【００２０】
請求項５の発明は、請求項３の発明において、照明器具の個別照明負荷情報をワイヤレス信号で送信するリモコン設定器と、該リモコン設定器からワイヤレス信号で送信された個別照明負荷情報を受信するリモコン受信部、及び、電力線に供給される商用電源に高周波電流を重畳させることによって信号を送受信する第３の電力線通信部を具備し、リモコン受信部が個別照明負荷情報を受信すると、受信した個別照明負荷情報を第３の電力線通信部から電力線を介して設定対象の照明器具へ送信するリモコン受信器とを備え、リモコン受信器に、配線ダクトに接続するための手段を設けて成ることを特徴とする。
【００２１】
この発明によれば、リモコン設定器からワイヤレス信号で送信された個別照明負荷情報を受信するリモコン受信器を用いて照明器具に個別照明負荷情報を設定しているので、個々の照明器具にリモコン設定器からのワイヤレス信号を受信するリモコン受信部を設ける必要がなく、照明器具のコストダウンを図ることができる。またリモコン受信器は配線ダクトに接続する手段を備えているので、配線ダクトに接続された照明器具に対して個別照明負荷情報を設定する際には設定対象の照明器具の近くで設定作業を行うことができて、設定作業の作業性が向上し、さらにワイヤレス信号として赤外線などの光信号を用いる場合にはリモコン受信器を照明器具から離して配置することで、照明負荷の発する光の影響を低減できる。
【００２２】
請求項６の発明は、請求項３の発明において、配線ダクトに対して当該配線ダクトと電力線との間で商用電源に重畳される高周波電流を選択的に遮断するフィルタ端末を取り付け、当該フィルタ端末に、配線ダクトに接続される照明器具の識別情報を持たせ、コントローラから送信されたシステム状態情報の内、送信先の識別情報が配線ダクトに接続される照明器具の識別情報と一致しないシステム状態情報を遮断することを特徴とする。
【００２３】
この発明によれば、配線ダクトに取り付けられたフィルタ端末が配線ダクトに接続される照明器具の識別情報を保持しているので、コントローラが、配線ダクトに接続された照明器具に関わる情報を表示する際に、フィルタ端末の保持する照明器具の識別情報と配線ダクトの設置位置の情報とを用いて、照明器具の位置を人が理解しやすい形で表示することができ、またフィルタ端末は、コントローラから送信されたシステム状態情報の内、送信先の識別情報が配線ダクトに接続される照明器具の識別情報と一致しないシステム状態情報を遮断しているので、通信トラフィックを減らすことができる。
【発明の効果】
【００２４】
以上説明したように、請求項１の発明では、照明器具は、コントローラから送信されたシステム状態情報を記憶部に記憶させており、記憶部に記憶された個別照明負荷情報とシステム状態情報とを組み合わせて得た点灯状態で照明負荷が点灯するように、制御部が点灯回路部の出力を制御しているので、取付位置の変更や調整などのために電力線から一時的に取り外された後に再度電力線に接続された場合にも、個別照明負荷情報とシステム状態情報が記憶部に記憶されているから、照明負荷を取り外し前と同じ点灯状態で点灯させることができる。
【００２５】
請求項２の発明では、電源投入後所定時間が経過してから照明器具が電力線に接続された場合、この照明器具は、電力線に接続した後に所定時間が経過してもコントローラからのシステム状態情報を受信することはできないが、所定時間が経過した時点で最新のシステム状態情報をコントローラに要求する要求信号を送出しているので、最新のシステム状態情報を取得し、このシステム状態情報に応じた点灯状態で照明負荷を点灯させることができる。
【００２６】
請求項３の発明では、照明器具を配線ダクトに接続して使用することができる。
【００２７】
請求項４の発明では、配線ダクトから外された場合には照明器具の設置位置が変更されると想定されるので、記憶部に記憶された個別照明負荷情報の内容をリセットしているが、電源の遮断時は記憶部に記憶された個別照明負荷情報の内容が保持されているので、電源を再投入した際に個別照明負荷情報を再度設定する必要が無く、使い勝手が向上するという利点がある。
【００２８】
請求項５の発明では、リモコン設定器からワイヤレス信号で送信された個別照明負荷情報を受信するリモコン受信器を用いて照明器具に個別照明負荷情報を設定しているので、個々の照明器具にリモコン設定器からのワイヤレス信号を受信するリモコン受信部を設ける必要がなく、照明器具のコストダウンを図ることができる。またリモコン受信器は配線ダクトに接続する手段を備えているので、配線ダクトに接続された照明器具に対して個別照明負荷情報を設定する際には設定対象の照明器具の近くで設定作業を行うことができて、設定作業の作業性が向上し、さらにワイヤレス信号として赤外線などの光信号を用いる場合にはリモコン受信器を照明器具から離して配置することで、照明負荷の発する光の影響を低減できる。
【００２９】
請求項６の発明では、配線ダクトに取り付けられたフィルタ端末が配線ダクトに接続される照明器具の識別情報を保持しているので、コントローラが、配線ダクトに接続された照明器具に関わる情報を表示する際に、フィルタ端末の保持する照明器具の識別情報と配線ダクトの設置位置の情報とを用いて、照明器具の位置を人が理解しやすい形で表示することができ、またフィルタ端末は、コントローラから送信されたシステム状態情報の内、送信先の識別情報が配線ダクトに接続される照明器具の識別情報と一致しないシステム状態情報を遮断しているので、通信トラフィックを減らすことができる。
【発明を実施するための最良の形態】
【００３０】
以下に本発明の実施の形態を図面に基づいて説明する。
（実施形態１）
本発明の実施形態１を図１及び図２に基づいて説明する。図１は本実施形態の照明システムのブロック図であり、本システムは商用電源ＡＣの電力線Ｌ１に接続されたコントローラ１０と、それぞれ電力線Ｌ１に接続された複数台の照明器具２０ａ…とで構成される。
【００３１】
コントローラ１０は例えば建物の壁に取り付けられており、商用電源ＡＣに高周波電流を重畳する電力線搬送通信方式で電力線Ｌ１を介して信号を送受信する第２の電力線通信部（以下、電力線通信部と略す）１１と、スイッチなどの入力手段やＬＣＤ、ＬＥＤなどの表示手段を具備して本システムの各種設定を行う設定部１２と、マイクロコンピュータなどで構成され各部１１、１２の制御を行う制御部１３とで構成される。
【００３２】
また照明器具２０ａ…は、例えば配線ダクト（図示せず）に接続して使用されるスポットライトのような器具からなり、白熱灯のような照明負荷２１と、位相制御回路などで構成され位相角を調整することによって照明負荷２１を調光する点灯回路部２２と、ＥＥＰＲＯＭのような書き込み可能な不揮発性メモリからなり現在の調光レベルなどの個別照明負荷情報を記憶する記憶部２３と、商用電源ＡＣに高周波電流を重畳する電力線搬送通信方式で電力線Ｌ１を介して信号を送受信する第１の電力線通信部（以下、電力線通信部と略す）２４と、マイクロコンピュータなどで構成され各部２２〜２４の制御を行う制御部２５とで構成される。
【００３３】
なお、照明負荷２１としては蛍光灯やＬＥＤなどを用いても良い。照明負荷２１が蛍光灯の場合は、点灯回路部２２を銅鉄安定器と位相制御回路とで構成し、位相角を調整することによって調光制御しても良いし、点灯回路部２２を、商用電源を整流する整流回路と、整流回路の出力を平滑する昇圧チョッパー回路と、昇圧チョッパー回路の出力を高周波電力に変換するインバータ回路とで構成し、インバータ回路の動作周波数を変化させることで蛍光灯に供給する高周波電力を制御して、調光しても良い。また照明負荷２１がＬＥＤの場合は、直流電圧をパルス電圧に変換するＰＷＭ回路などで点灯回路部２２を構成し、ＬＥＤに印加するパルス電圧のデューティ比を変化させることで調光しても良い。また更に照明負荷２１としてＲ・Ｇ・Ｂの各色のＬＥＤを用い、Ｒ・Ｇ・ＢのＬＥＤを各々の色毎に調光することで、Ｒ・Ｇ・Ｂの合成光の光色を制御する調色制御を行っても良く、調色制御を行う場合には調色情報などの情報が個別照明負荷情報として記憶部２３に設定される。
【００３４】
次に本システムの動作について説明を行う。先ずコントローラ１０から、各照明器具２０ａ…に調光レベルを設定するために、照明器具２０ａ…を個別に識別するための個別アドレス（識別情報）を個々の照明器具２０ａ…に設定する。すなわち、コントローラ１０を電力線Ｌ１に接続し、電力線Ｌ１に商用電源ＡＣを供給している状態で、１台ずつ照明器具２０ａ…を配線ダクトに取り付けて電力線Ｌ１に接続する。照明器具２０ａ…が電力線Ｌ１に接続されると、電力線Ｌ１を介して電源が供給され、制御部２５が動作を開始する。
【００３５】
この時、記憶部２３には個別アドレスのデータが記憶されていないので、制御部２５は、点灯回路部２２を制御して照明負荷２１を点滅させることで、個別アドレスが未設定であることを作業者に報知するとともに、個別アドレスが未設定であることを示す信号を電力線通信部２４からブロードキャストで電力線Ｌ１に送出させる（一定時間で送出し続ける）。なお照明器具２０ａ…に報知用のＬＥＤを設け、このＬＥＤを照明負荷２１の代わりに点滅させることで、個別アドレスが未設定であることを報知しても良い。
【００３６】
コントローラ１０では、電力線通信部１１が電力線Ｌ１を介して個別アドレスが未設定であることを示す信号を受信すると、この信号に基づいて制御部１３が設定部１２の表示手段に個別アドレスが未設定の照明器具２０ａ…が存在することを表示しており、作業者が設定部１２の表示或いは照明負荷２１の点滅を見て個別アドレスが未設定であることを確認すると、設定部１２の入力手段を用いて個別アドレスを入力する。この時、コントローラ１０の制御部１３は、設定部１２を用いて入力された個別アドレスを含む電力線搬送信号を電力線通信部１１から電力線Ｌ１に送出させる。そして、個別アドレスが未設定の照明器具２０ａ…では、電力線通信部２４が電力線Ｌ１を介して送信された電力線搬送信号を受信すると、制御部２５が電力線搬送信号に含まれる個別アドレスのデータを自己の個別アドレスとして記憶部２３に記憶させるとともに、点灯回路部２２を制御して照明負荷２１を消灯させるとともに、個別アドレスが未設定であることを示す信号の送信を停止する。そして、個別アドレスが未設定の照明器具２０ａ…が無くなるまで上記の動作を繰り返し行っており、コントローラ１０および照明器具２０ａ…は、個別アドレスが未設定であることを示す信号が電力線Ｌ１上に送出されている間は通常の制御動作を開始しない。
【００３７】
以上のようにして各々の照明器具２０ａ…に個別アドレスを設定する作業が完了すると、各々の照明器具２０ａ…の調光レベルを個別に設定する作業を行う。すなわち、作業者がコントローラ１０の設定部１２が備える入力手段を用いて各照明器具２０ａ…の調光レベルを個別に入力すると、制御部１３は、設定対象の照明器具２０ａ…に割り付けられた個別アドレスと入力された調光レベルとを含む電力線搬送信号を電力線通信部１１から電力線Ｌ１に送出させる。そして、照明器具２０ａ…では、制御部２５が、電力線通信部２４の受信した電力線搬送信号に含まれる個別アドレスと、記憶部２３に設定された自己の個別アドレスとを比較し、個別アドレスが一致すると電力線搬送信号に含まれる調光レベルを取り込んで、この調光レベルのデータを個別照明負荷情報として記憶部２３に記憶させるとともに、この調光レベルに従って点灯回路部２２を制御し、照明負荷２１を調光点灯させる。
【００３８】
このようにして、各々の照明器具２０ａに個別照明負荷情報（例えば調光レベル）が設定されると、各照明器具２０ａ…の制御部２５は、記憶部２３に設定された個別照明負荷情報（調光レベル）と、電力線通信部２４が受信したコントローラ１０からのシステム状態情報（例えばオン／オフ信号）とを組み合わせて得た点灯状態で照明負荷２１が点灯するように、点灯回路部２２の出力を制御するのである。
【００３９】
ここで、図２に示すタイムチャートに従って本システムの動作をより詳細に説明する。このタイムチャートは、３台の照明器具２０ａ，２０ｂ，２０ｃの調光レベルがそれぞれ１００％、７５％、５０％に設定されている例を示しており、使用者がコントローラ１０の操作部（図示せず）を操作すると、操作部の操作に応じて制御部１３が電力線通信部１１から照明負荷２１をオン又はオフさせる信号をシステム状態情報として電力線Ｌ１に送出させるようになっている。そして、各々の照明器具２０ａ…では、電力線通信部２４がシステム状態情報として照明負荷２１をオンさせる信号を受信すると、制御部２５が、受信したシステム状態情報を記憶部２３に記憶させるとともに、記憶部２３に設定された個別の調光レベルとシステム状態情報とを組み合わせて得た調光レベルに点灯回路部２２の出力を制御し、照明負荷２１を調光点灯させる。また電力線通信部２４がシステム情報情報として照明負荷２１をオフさせる信号を受信すると、制御部２５は、受信したシステム状態情報を記憶部２３に記憶させるとともに、照明負荷２１をすぐには消灯させず、フェードアウト後に消灯させることを知らしめるために、点灯回路部２２の出力を制御して調光レベルを所定のレベルまで徐々に低下させ、この調光レベルで一定時間点灯させた後、調光レベルを０％まで徐々に低下させて照明負荷２１を最終的に消灯させる（フェードアウト）。なお、消灯時に照明負荷２１をフェードアウトさせる動作は、各照明器具２０ａ…の制御部２５によって自律的に行われており、通常点灯時よりも一段低い調光レベルは通常点灯時の調光レベルに応じて相対的に決定される。尚、図２の例では通常点灯時よりも一段低い調光レベルを通常点灯時の７５％の調光レベルに設定してあり、照明器具２０ａでは７５％、照明器具２０ｂでは５６．３％、照明器具２０ｃでは３７．５％で調光点灯される。
【００４０】
ここで、照明器具２０ｂの設置位置を調整するために、点灯中の時刻ｔ１において照明器具２０ａが配線ダクトから取り外され、その後時刻ｔ２において配線ダクトに接続されているが、照明器具２０ｂでは配線ダクトに再び接続されて、電源供給が再開されると、制御部２５が記憶部２３から調光レベルのデータ（７５％）とシステム状態情報（オン信号）とを読み出し、調光レベルとシステム状態情報とを組み合わせて得た調光レベルに従って点灯回路部２２の出力を制御し、照明負荷２１を調光点灯しているので、配線ダクトから取り外す前と同じ調光レベルで照明負荷２１を点灯させることができる。従って、照明器具２０ａ…を位置調整などのために配線ダクトから脱着する毎に個別照明負荷情報を設定する必要が無く、使い勝手が向上するという利点がある。
【００４１】
（実施形態２）
本発明の実施形態２を図３に基づいて説明する。尚、本実施形態の照明システムの構成は、コントローラ１０に、リアルタイムクロックＩＣや水晶発振子などで構成されて現在の日時を計時するための計時手段（図示せず）を設けた点以外は実施形態１の照明システムと同様であるので、共通する構成要素には同一の符号を付して、その説明は省略する。
【００４２】
次に本システムの動作を図３のフローチャートに従って説明する。コントローラ１０は、上述のように現在の日時を計時するための計時手段を有しており、内蔵するメモリ（図示せず）に照明器具２０ａ…を動作させるスケジュール（例えば２４時間スケジュール）を予め設定してある。そして、計時手段の計時した時刻が予め設定された時刻になると、制御部１３は、メモリに設定されたスケジュールに従い照明器具２０ａ…に所定の動作を行わせるための信号（システム状態情報）を電力線通信部１１から電力線Ｌ１に送出させて、照明器具２０ａ…のタイムスケジュール制御を行っている。ここで、制御部１３は、個々の照明器具２０ａ…で予め設定された調光レベル（個別照明負荷情報）に対する係数値をシステム状態情報として送出しており、各々の照明器具２０ａ…では、制御部２５が、記憶部２３に予め設定された調光レベルに、コントローラ１０から送られた係数値を掛け合わせたレベルに点灯回路部２２の出力を制御して、照明負荷２１を調光点灯する。尚、メモリに設定するスケジュールとしては、週間スケジュールでも年間スケジュールでも良い。
【００４３】
また本実施形態ではコントローラ１０の制御部１３が、電源投入後所定時間が経過するまでの間に、器具毎に予め設定された調光レベルに対する係数値（システム状態情報）を電力線通信部１１から電力線Ｌ１に送出させており、例えば毎日所定時間に電力線Ｌ１に電源が供給されると、コントローラ１０から照明器具２０ａ…にシステム状態情報が送信されて、照明器具２０ａ…が所定の動作を行うようになっている。
【００４４】
一方、照明器具２０ａ…の制御部２５は、電源投入後上記所定時間が経過するまでの間にコントローラ１０からのシステム状態信号を受信できなければ、最新のシステム状態信号をコントローラ１０に要求する要求信号に、自己の個別アドレスを付加した電力線搬送信号を電力線通信部２４から電力線Ｌ１に送出させている。そして、コントローラ１０の電力線通信部１１がこの要求信号を受信すると、制御部１３が、要求信号に付加された照明器具２０ａ…の個別アドレスに宛てて、前回送出したシステム状態情報を電力線通信部１１から送出させており、要求信号を送出した照明器具２０ａ…ではコントローラ１０から送出された最新のシステム状態情報を受信することで、他の照明器具２０ａ…と同様の動作を行うことができる。したがって、照明器具２０ｂが電力線Ｌ１から外されている状態で他の照明器具２０ａ，２０ｃがコントローラ１０からのシステム状態情報により既に動作を開始した後の時刻ｔ３において、照明器具２０ｂが電力線Ｌ１に接続されて電源供給が開始された場合、コントローラ１０はシステム状態情報を既に送出しているので、照明器具２０ｂでは電源投入後所定時間が経過してもコントローラ１０からのシステム状態情報を受信することはできないが、照明器具２０ｂの制御部２５は、時刻ｔ３で電源が投入されてから所定時間が経過した時点で、最新のシステム状態情報を要求する要求信号に自己の個別アドレスを付加した電力線搬送信号を電力線通信部２４から送出させており、この要求信号を受けてコントローラ１０から照明器具２０ｂに対して最新のシステム状態情報が送出されるので、照明器具２０ｂに他の照明器具２０ａ，２０ｃと同様の動作を行わせることができる。
【００４５】
尚、コントローラ１０では、要求信号を送出した照明器具２０ａ…に宛てて最新のシステム状態情報を送出しているが（ユニキャスト送信）、送信先の照明器具２０ａ…のアドレスを指定せずに最新のシステム状態情報をブロードキャスト送信し、要求信号を送出した器具以外の照明器具２０ａ…がこのシステム状態情報を無視するようにしても良い。
【００４６】
（実施形態３）
本発明の実施形態３を図４〜図６に基づいて説明する。尚、照明システムの基本的な構成は実施形態１と同様であるので、共通する構成要素には同一の符号を付してその説明は省略し、本実施形態の特徴部分について説明する。
【００４７】
本システムを構成する照明器具２０ａ…は図５に示すような配線ダクト４０に取り付けて使用されるものである。配線ダクト４０は細長の直方体状であって、下面には長手方向に沿って開口４１が形成されており、長手方向に沿う両側壁の内側面には全長に亙って一対の導電板（図示せず）が設けられており、これら一対の導電板に電力線Ｌ１が接続されて、商用電源ＡＣが給電されている。すなわち一対の導電板により電力線Ｌ１が構成される。
【００４８】
一方、照明器具２０ａ…は、白熱灯のような照明負荷２１やその点灯回路部２２などを収納する灯具本体３１を有し、この灯具本体３１がアーム３２を介して配線ダクト用の連結具３３に連結されている。連結具３３は上端部が開口４１を通して配線ダクト４０内に挿入され、連結具３３に設けた集電子（図示せず）を配線ダクト４０の導電板に接触させることによって配線ダクト４０から給電されている。また、連結具３３は配線ダクト４０に着脱自在に取り付けられ、配線ダクト４０に取り付けた状態では配線ダクト４０に対して摺動可能に連結されており、配線ダクト４０の長手方向の任意の位置に位置させることができるようになっている。
【００４９】
また図４は照明器具２０ａ…のブロック図であり、本実施形態では実施形態１で説明した照明器具２０ａ…において連結具３３が配線ダクト４０から外されたことを検知する解除検知部２６を設けてあり、制御部２５が解除検知部２６の検知信号に応じて記憶部２３に記憶された個別照明負荷情報（調光レベル）をリセットしている。
【００５０】
次にこの照明システムの動作を図６のタイムチャートに従って説明する。このタイムチャートは、３台の照明器具２０ａ，２０ｂ，２０ｃの調光レベルがそれぞれ１００％、７５％、５０％に設定されている例を示しており、使用者がコントローラ１０の操作部（図示せず）を操作すると、制御部１３が、操作部の操作に応じて電力線通信部１１から照明負荷２１をオン又はオフさせる信号をシステム状態情報として電力線Ｌ１に送出させるようになっている。そして、各々の照明器具２０ａ…では、電力線通信部２４がシステム情報情報として照明負荷２１をオンさせる信号を受信すると、制御部２５が、受信したシステム状態情報を記憶部２３に記憶させるとともに、記憶部２３に設定された個別の調光レベルとシステム状態情報とを組み合わせて得た調光レベルで点灯回路部２２の出力を制御し、照明負荷２１を調光点灯させる。また電力線通信部２４がシステム情報信号として照明負荷２１をオフさせる信号を受信すると、制御部２５は、受信したシステム状態情報を記憶部２３に記憶させるとともに、点灯回路部２２の出力を制御して、照明負荷２１をフェードアウト後に消灯させている。
【００５１】
ここで、照明器具２０ａ…が予め設定された調光レベルで点灯している時刻ｔ４において、照明器具２０ｃが配線ダクト４０から取り外された場合、照明器具２０ｃの解除検知部２６が連結具３３の取り外し操作を検知し、制御部２５が、解除検知部２６の検知信号に基づいて記憶部２３に記憶された調光レベルをリセットしている。したがって、時刻ｔ５において照明器具２０ｃが配線ダクト４０に再び接続されると、照明器具２０ｃに電源が供給されて、照明器具２０ｃの制御部２５はデフォルトの調光レベル（例えば１００％の調光レベル）と記憶部２３に記憶されたシステム状態情報（オン信号）とに基づいて、点灯回路部２２の出力を制御し、照明負荷２１を１００％の調光レベルで点灯させる。一方、時刻ｔ６において電力線Ｌ１への電源供給が遮断され、その後時刻ｔ７において電力線Ｌ１への電源供給が再開された場合、各照明器具２０ａ…の解除検知部２６は連結具３３の取り外しを検知していないため、制御部２５が記憶部２３に設定された調光レベルの情報をリセットすることはなく、電源供給の再開時には各照明器具２０ａ…は消灯したままであり、その後コントローラ１０からシステム情報情報として照明負荷２１をオンさせる信号が送信されると、このシステム情報信号を受けて各照明器具２０ａ…が所定の調光レベルで調光点灯されるのである。
【００５２】
このように本システムでは、照明器具２０ａ…が配線ダクト４０から外された場合は、照明器具２０ａ…の設置位置が変更されると考えられるので、制御部２５が記憶部２３に設定された調光レベルをリセットすることで、設置位置に合わせた調光レベル（個別照明負荷情報）を再設定することができる。また、営業時間が終了するなどして電力線Ｌ１に供給する電源を遮断した場合には、記憶部２３に設定された調光レベルはリセットされないので、電源が再投入された際には調光レベルを再設定することなく照明器具２０ａ…の動作を開始させることができる。
【００５３】
（実施形態４）
本発明の実施形態４を図７〜図９に基づいて説明する。本実施形態の照明システムのブロック図を図７に、システム構成図を図８にそれぞれ示し、本システムでは、実施形態１の照明システムにおいて、実施形態３で説明した配線ダクト４０に着脱自在に取り付けることができる複数台の人検知センサ端末５０ａ…を設けている。
【００５４】
各人検知センサ端末５０ａ…は、人体から放射される熱線を検知することによって人の存否を検知するＰＩＲセンサのような人検知部５１と、商用電源ＡＣに高周波電流を重畳する電力線搬送通信方式で電力線Ｌ１を介して信号を送受信する電力線通信部５２と、マイクロコンピュータなどで構成されて各部の制御を行う制御部５３とで構成され、照明器具２０ａ…と同様に個々の人検知センサ端末５０ａ…を識別するための個別アドレスが設定されている。尚、人検知部５１は焦電素子を用いたＰＩＲセンサに限定されるものではなく、超音波を用いて人体を検出する超音波センサなどのセンサを用いても良い。
【００５５】
また、図９は照明器具２０ａ…を美術館に設置して壁に掛けられた絵にスポット光をあてる場合の設置例を示しており、建物８０の入口８３付近の壁にコントローラ１０を設置し、建物８０内の各部屋８１ａ〜８１ｆの側壁に沿って配線ダクト４０を設置して、各配線ダクト４０に照明器具２０ａ…を１台ずつ取り付けてある。また、各部屋８１ａ〜８１ｆには少なくとも１台の人検知センサ端末５０ａ〜５０ｇを配置してある。ここで、美術館などでは入館者が館内を移動する順路が予め決められており、各人検知センサ端末５０ａ〜５０ｆは各部屋８１ａ〜８１ｆの入口８２ａ〜８２ｆ付近に設置されて、各部屋８１ａ〜８１ｆへの入館者の入室を監視している。また順路の終わりの部屋８１ｆでは出口８２ｇの近傍にも人検知センサ端末５０ｇが設置されており、部屋８１ｆからの入館者の退室を監視している。尚、図９中の９０は建物８０の各部屋を照明するダウンライトのようなベース照明器具である。
【００５６】
ここで、建物の各々の部屋８１ａ〜８１ｆを１つのエリアとして、個々のエリア内に設置された照明器具２０ａ…と人検知センサ端末５０ａ…とを１つのグループＧ１…としており、コントローラ１０では、人検知センサ端末５０ａ…の人検知信号に基づいて照明器具２０ａ…の点灯状態をエリア毎に制御している。すなわち、各照明器具２０ａ…の記憶部２３には、自己の属するグループＧ１…を示すグループデータが予め設定されており、コントローラ１０からはグループデータを付加したシステム状態信号が送信され、システム状態信号に付加されたグループデータが記憶部２３に設定されたグループデータに一致した場合のみ、このシステム状態情報を記憶部２３に記憶させるとともに、記憶部２３に記憶された個別照明負荷情報とシステム状態情報とに従って制御部２５が点灯制御を行っている。
【００５７】
上述のように図９は照明器具２０ａ…を美術館に設置した設置例を示し、館内の人が予め設定された順路に従って移動する場合、入館者がいるエリアと、次に入館者が移動するエリアの照明器具２０ａ…を点灯させるのが好ましい。つまり入館者がいないエリアでは省エネを図ったり、絵画などの展示物の変色を防止することを目的として、照明器具２０ａ…を消灯或いは減光することが好ましい。しかしながら、美術館などではエリア（部屋）間にドアがなく次のエリアが見えるため、次のエリアの照明器具が消灯或いは減光していると、入館者が不安感を覚えてり、不快に感じる場合がある。
【００５８】
そこで、本システムでは入館者がいるエリアと、入館者が次に移動するエリアの照明器具２０ａ…を点灯させ、それ以外のエリアでは照明器具２０ａ…を消灯或いは減光するような制御を行っている。人検知センサ端末５０ａ〜５０ｆは各部屋８１ａ〜８１ｆの入口８２ａ…付近に設置されており、例えば部屋８１ａに設置された人検知センサ端末５０ａの人検知部５１が人を検知すると、制御部５３が自己の個別アドレスと人検知信号とを含む電力線搬送信号を電力線通信部５２から電力線Ｌ１に送出させる。コントローラ１０では、電力線通信部１１が人検知センサ端末５０ａから送出された人検知信号を受信すると、この人検知信号に付加された個別アドレスをもとに、人検知信号を送出した人検知センサ端末５０ａが属するグループＧ１内の照明器具２０ａ〜２０ｄに対して、照明負荷２１を点灯させるシステム状態情報に当該グループＧ１のグループデータを付加した信号を電力線通信部１１から送出させるとともに、次の部屋８１ｂのグループＧ２内の照明器具２０ｅ〜２０ｈに対して、照明負荷２１を点灯させるシステム状態信号に当該グループＧ１のグループデータを付加した信号を電力線通信部１１から送出させる。
【００５９】
この時、各照明器具２０ａ〜２０ｈでは制御部２５が、電力線通信部２４の受信した信号に含まれるグループデータと、記憶部２３に設定されたグループデータとを比較し、グループデータが一致する場合はコントローラ１０からのシステム状態情報を記憶部２３に記憶させるとともに、記憶部２３に記憶された個別照明負荷情報とコントローラ１０からのシステム状態情報とを組み合わせて得た調光レベルで点灯回路部２２の出力を制御し、照明負荷２１を調光点灯させている。また、その後部屋８１ａ，８１ｂに設置された人検知センサ端末５０ａ，５０ｂが一定時間人を検知せず、こられの人検知センサ端末５０ａ，５０ｂからコントローラ１０へ人検知信号が一定時間送出されなければ、コントローラ１０は、グループＧ１，Ｇ２内の照明器具２０ａ〜２０ｈに対して、それぞれ、照明負荷２１を消灯させるシステム状態情報に当該グループＧ１，Ｇ２のグループデータを付加した信号を電力線通信部１１から送出させ、グループＧ１，Ｇ２内の照明器具２０ａ〜２０ｈを消灯させている。
【００６０】
このように、本システムでは各部屋８１ａ…に設置された照明器具２０ａ…を１つのグループとして、グループ毎に照明器具２０ａ…のオン／オフを制御しており、人が入室した部屋と次に入室する部屋の照明器具２０ａ…のみを点灯させて、それ以外の部屋の照明器具を消灯させることで、省エネを図ったり、照明光が展示物に与える悪影響を低減することができる。尚、コントローラ１０では、人検知センサ端末５０ａ…からの人検知信号を受けて、照明器具２０ａ…をオン／オフさせる信号をシステム状態情報として送出しているが、人体の非検知時には各照明器具２０ａ…を低調光レベルで点灯させておき、人検知センサ端末５０ａ…からの人体検知信号を受けて、照明器具２０ａ…を高調光レベルで点灯させる信号をシステム状態情報として送出しても良い。
【００６１】
（実施形態５）
本発明の実施形態５を図１０〜図１３に基づいて説明する。本実施形態の照明システムのシステム構成図を図１１に、ブロック図を図１０にそれぞれ示す。本実施形態では照明器具２０ａ…が着脱自在に接続される配線ダクト４０に対して、当該配線ダクト４０と電力線Ｌ１との間で商用電源ＡＣに重畳される高周波電流を選択的に遮断するフィルタ端末７０を取り付けるとともに、配線ダクト４０にリモコン受信端末６０を着脱自在に取り付けている。
【００６２】
リモコン受信端末６０は、商用電源ＡＣに高周波電流を重畳する電力線搬送通信方式で電力線Ｌ１を介して信号を送受信する第３の電力線通信部（以下、電力線通信部と略す）６１と、リモコン設定器６５から赤外線のような光信号からなるワイヤレス信号で送信された照明器具２０ａ…の設定信号を受信するリモコン信号受信部６２と、マイクロコンピュータなどで構成され各部６１，６２の制御を行う制御部６３とで構成される。
【００６３】
フィルタ端末７０は、図１３に示すように電力線Ｌ１が接続される接続端子Ｔ１，Ｔ２と、配線ダクト４０の内部に設けられた一対の導電板に電気的に接続される接続端子Ｔ３，Ｔ４とを有し、図１２に示すように配線ダクト４０の長手方向における一端側に取り付けられて、電力線Ｌ１と配線ダクト４０の一対の導電板との間に電気的に接続されている。またフィルタ端末７０は、接続端子Ｔ１，Ｔ２に接続される電力線Ｌ１を介してコントローラ１０との間で電力線搬送通信方式で信号を送受信する第１の電力線搬送通信回路７１と、接続端子Ｔ３，Ｔ４に接続された導電板を介して照明器具２０ａ…又はリモコン受信端末６０との間で電力線搬送通信方式で信号を送受信する第２の電力線搬送通信回路７２と、第１及び第２の電力線搬送通信回路７１，７２の動作を制御する制御回路７３と、接続端子Ｔ１，Ｔ２と接続端子Ｔ３，Ｔ４との間に挿入されて電力線Ｌ１に重畳される電力線搬送信号の通過を阻止するブロッキングフィルタ７４とを備え、第１又は第２の電力線搬送通信回路７１，７２の内の一方が電力線Ｌ１を介して電力線搬送信号を受信すると、制御回路７３は受信した信号の内必要な信号のみを他方から電力線Ｌ１に送出させており、商用電源ＡＣに重畳される高周波信号を選択的に遮断する機能を有している。
【００６４】
ここに、ブロッキングフィルタ７４は、従来より住宅向けの電力線搬送通信システムで分電盤の主幹電力線に挿入されるフィルタのことである。電力線搬送通信方式で現在認められている周波数は１０〜４５０ｋＨｚの範囲であり、各システムで周波数を選択して利用しているが、他の分電盤（住宅用途では隣家の分電盤）に電力線搬送信号が回り込まないように、この信号が主幹電力線から流れ出すのを遮断する必要がある。またブロッキングフィルタ７４は電源供給のために５０／６０Ｈｚの商用周波数の信号は通過させる必要があるため、一般的に商用周波数は通過させるローパスフィルタで構成されている。尚、商用周波数を通過させることができ、且つ電力線搬送信号を遮断できるのであれば、ブロッキングフィルタ７４の構成はどのような構成でも良い。
【００６５】
またフィルタ端末７０は配線ダクト４０に接続される照明器具２０ａ…の個別アドレスを記憶するメモリ（図示せず）を備えている。そして、照明器具２０ａ…を配線ダクト４０に取り付けた際には、フィルタ端末７０の制御回路７３がコントローラ１０と照明器具２０ａ…との間で送受信される電力線搬送信号を中継することによって、実施形態１で説明したような手順で照明器具２０ａ…に個別アドレスが設定されるのであるが、電力線搬送信号を中継する間に制御回路７３が照明器具２０ａ…の個別アドレスをメモリに記憶させることによって、フィルタ端末７０よりも下流側に接続されている照明器具２０ａ…の個別アドレスをメモリに登録することができる。そして、点灯制御時にフィルタ端末７０がコントローラ１０からのシステム状態情報を受信した場合、制御回路７３は、第１の電力線搬送通信回路７１の受信したシステム状態情報に付加されているアドレスデータが、メモリに記憶された個別アドレスと一致する場合のみ、受信した信号を第２の電力線搬送通信回路７２から電力線に送出させており、このシステム状態情報に従って照明器具２０ａ…が動作している。このようにフィルタ端末７０では、コントローラ１０からの電力線搬送信号に付加されたアドレスデータなどに基づいて電力線搬送信号を選択し、選択条件に一致した電力線搬送信号のみを器具側に送出しているので、通信トラフィックを減らすことができる。
【００６６】
尚、複数台の照明器具２０ａ…を１つのグループとして、グループ毎に照明器具２０ａ…を点灯制御する場合は、照明器具２０ａ…にグループアドレスを設定する際に、フィルタ端末７０のメモリにグループデータを記憶させ、コントローラ１０からの電力線搬送信号に含まれるグループデータがメモリに記憶されたグループデータと一致する場合のみ、制御回路７３が、第１の電力線搬送通信回路７１の受信した信号を第２の電力線搬送通信回路７２から電力線に送出させるようにしても良い。
【００６７】
また本システムでは配線ダクト４０にリモコン受信端末６０を取り付けてあり、リモコン受信端末６０を取り付けた配線ダクト４０に取り付けられている照明器具２０ａ…に対してリモコン設定器６５を用いて設定情報を設定することができる。ここで、リモコン設定器６５から個別照明負荷情報の設定信号がワイヤレス信号で送信されると、リモコン受信端末６０のリモコン信号受信部６２がワイヤレス信号で送信された設定信号を受信し、制御部６３が受信した設定信号を電力線搬送信号として電力線通信部６１から配線ダクト４０の導電板に送出させる。この時、リモコン受信端末６０と同じ配線ダクト４０に接続された照明器具２０ａ…の電力線通信部２４が、リモコン受信端末６０から電力線搬送信号で送信された設定信号を受信し、制御部２５が受信した設定信号を記憶部２３に記憶させることで、照明器具２０ａ…に個別照明負荷情報を設定することができる。尚、配線ダクト４０の導電板と電力線Ｌ１との間にはフィルタ端末７０が取り付けられているので、フィルタ端末７０がリモコン受信端末６０から電力線に送出された電力線搬送信号をブロックすることによって、リモコン受信端末６０から送出される設定信号の送信範囲をリモコン受信端末６０の取り付けられた配線ダクト４０に限定することができる。また、リモコン受信端末６０を用いて個別照明負荷情報を設定する際には、リモコン受信端末６０のみが配線ダクト４０の導電板に電力線搬送信号を送信することになるので、通信トラフィックを減らすことができ、応答性が向上して、設定作業を短時間で行うことができる。
【００６８】
また本システムでは、リモコン設定器６５からのワイヤレス信号を受信するリモコン受信端末６０が設定対象の照明器具２０ａ…の近傍に取り付けられているので、照明器具２０ａ…の調光レベルを設定する場合には設定作業を照明器具２０ａ…の近くで行えるから、設定作業がやりやすいという利点があり、リモコン受信端末６０を照明器具２０ａ…から少し離しておけば照明負荷２１の発する赤外線ノイズの影響を受けにくくできる。また、全ての照明器具２０ａ…にワイヤレス信号を受信するリモコン信号受信部を設ける必要がないので、照明器具２０ａ…のコストダウンを図ることができる。尚、本実施形態ではリモコン受信端末６０とリモコン設定器６５との間で赤外線信号を用いてワイヤレス通信を行っているが、超音波信号や電波信号を用いてワイヤレス通信を行っても良い。
【００６９】
また本システムでは配線ダクト４０に取り付けられたフィルタ端末７０が、同じ配線ダクト４０に接続されている照明器具２０ａ…の個別アドレスの情報を保持しているので、コントローラ１０が各々のフィルタ端末７０が保持している個別アドレスの情報を取り込むことによって、個々の照明器具２０ａ…がどの位置にある配線ダクト４０に取り付けられているかを把握することができる。したがって、コントローラ１０で電力線Ｌ１に接続された照明器具２０ａ…の調光レベルの設定値や現在の点灯状態を照明器具２０ａ…の設置位置と一緒に表示する際に、例えば図９の設置例では「部屋８１ａの南側の配線ダクト」のように人が理解しやすい表現で配線ダクトの位置を特定でき、設置位置の表示をわかりやすくできる。
（実施形態６）
本発明の実施形態６を図１４及び図１５に基づいて説明する。本実施形態では、実施形態１の照明システムにおいて、コントローラ１０に、専用通信線Ｌ２を介して接続された複数台のベース照明器具９０ａ…との間で通信を行う専用線通信部１４を設けている。尚、図１５中のＢ１，Ｂ２はブレーカである。ここで、照明システムの基本的な構成は実施形態１と同様であるので、共通する構成要素には同一の符号を付して、その説明は省略する。
【００７０】
本システムでは、照明器具２０ａ…の調光レベルが変更された場合、コントローラ１０の制御部１３が専用線通信部１４からベース照明器具９０ａ…に対して制御信号を送出して、ベース照明器具９０ａ…の調光レベルを変化させるなどの連動制御を行っている。
【００７１】
例えば実施形態４で説明したように複数台の照明器具２０ａ…を複数のグループＧ１…に分けて、グループ毎に照明器具２０ａ…の点灯状態を制御する場合は、何れかのグループＧ１…に属する照明器具２０ａ…の調光レベルが変更された場合に、同一のエリアに設置されたベース照明器具９０ａ…を予め設定された内容に従って連動制御している。
【００７２】
ここに、ベース照明器具９０ａ…の連動制御動作は予め設定されており、例えば美術館や博物館などでスポットライトからなる照明器具２０ａ…で展示物を照明する際には、展示物が照明の熱で劣化するのを防止するために、人がいない場合は照明器具２０ａ…の調光レベルを下げるような制御を行っているが、照明器具２０ａ…の調光レベルを下げたときに展示物が目立たなくなるのを防ぐために、ベース照明器具９０ａ…の調光レベルを同時に下げるような連動関係を設定している。そして、照明制御時にはコントローラ１０の制御部１３が、同一エリア内の照明器具２０ａ…の平均照度を算出し、照明器具２０ａ…の調光レベルを下げた時に照明器具２０ａ…の平均照度に応じて同じエリアのベース照明器具９０ａ…の調光レベルを低下させている。なお、照明器具２０ａ…の調光レベルを下げたときに全体の調光レベルを上げるために、ベース照明器具９０ａ…の調光レベルを同時に上げるような連動制御を行っても良い。また人検知センサ端末を追加すれば、実施形態４と同様に予め設定された順路にしたがって人を検知したエリアとその次のエリアの照明器具２０ａ…をベース照明器具９０ａ…とともに調光制御することができ、ベース照明器具９０ａ…の連動制御を行うことで、省エネや演出性など設定者の設定した優先度にしたがって調光制御を行うことができる。
【図面の簡単な説明】
【００７３】
【図１】実施形態１の照明システムのブロック図である。
【図２】同上の動作を説明するタイムチャートであり、（ａ）〜（ｃ）は照明器具２０ａ〜２０ｃの調光レベル、（ｄ）はシステム状態信号である。
【図３】実施形態２の照明システムの動作を説明するタイムチャートであり、（ａ）〜（ｃ）は照明器具２０ａ〜２０ｃの調光レベル、（ｄ）は要求信号、（ｅ）はシステム状態信号である。
【図４】実施形態３の照明システムに用いる照明器具のブロック図である。
【図５】同上に用いる照明器具を配線ダクトに取り付けた状態の外観斜視図である。
【図６】同上の動作を説明するタイムチャートであり、（ａ）〜（ｃ）は照明器具２０ａ〜２０ｃの調光レベル、（ｄ）はシステム状態信号である。
【図７】実施形態４の照明システムのブロック図である。
【図８】同上のシステム構成図である。
【図９】同上の設置例を示す配置図である。
【図１０】実施形態５の照明システムのブロック図である。
【図１１】同上のシステム構成図である。
【図１２】同上に用いる照明器具とフィルタ端末を配線ダクトに取り付けた状態の説明図である。
【図１３】同上に用いるフィルタ端末のブロック図である。
【図１４】実施形態６の照明システムのブロック図である。
【図１５】同上のシステム構成図である。
【図１６】従来の照明システムのシステム構成図である。
【図１７】同上のブロック図である。
【符号の説明】
【００７４】
１０  コントローラ
１１  電力線通信部
２０ａ…  照明器具
２１  照明負荷
２２  点灯回路部
２３  記憶部
２４  電力線通信部
２５  制御部
Ｌ１  電力線
【図１】
2005063803.tif 000004
【図２】
2005063803.tif 000005
【図３】
2005063803.tif 000006
【図４】
2005063803.tif 000007
【図５】
2005063803.tif 000008
【図６】
2005063803.tif 000009
【図７】
2005063803.tif 000010
【図８】
2005063803.tif 000011
【図９】
2005063803.tif 000012
【図１０】
2005063803.tif 000013
【図１１】
2005063803.tif 000014
【図１２】
2005063803.tif 000015
【図１３】
2005063803.tif 000016
【図１４】
2005063803.tif 000017
【図１５】
2005063803.tif 000018
【図１６】
2005063803.tif 000019
【図１７】
2005063803.tif 000020